(57)【要約】      （修正有）【課題】ベタつき等を生じさせることがなく、しかも長時間にわたってペット等の対象に対して涼感を付与することができるようなクーラーマットを提供する。【解決手段】ゾノトライトで構成された部分又はトバモライトで構成された部分をクーラーマット１に含むことを特徴とするクーラーマット１を提供する。【選択図】図３
2015136332.tif 000002
【特許請求の範囲】
【請求項１】
ゾノトライトで構成された部分又はトバモライトで構成された部分を含むことを特徴とするクーラーマット。  
【発明の詳細な説明】
【技術分野】
【０００１】
本発明は、たとえば犬、猫等のペットを座らせ或いは横臥させて、水分が気化する際の気化熱により涼感を付与することができるクーラーマットに関する。
【背景技術】
【０００２】
従来、この種のクーラーマットとしては、たとえば吸水性ポリマーが具備された吸水性シートを用い、その吸水性シートに水が散布されて吸水性ポリマーに水分が吸収され、その吸収された水分が気化する際の気化熱の作用でクーラーマットの表面温度が高くならないように保ってペットに涼感を付与するようにしたもの等が知られている。
【０００３】
たとえば特許文献１には、内装体内に吸水性ポリマーが具備された吸水性シートと、この吸水性シートを収容する通気性を備えた素材で構成された外装体とからなる構造のものが記載されている。
【０００４】
しかし、特許文献１のような吸水性ポリマーが具備された吸水性シートを用いたものでは、吸水性ポリマーに水分が吸収されるために、吸水性シートにベタつきが生じるおそれがあり、クーラーマットに座らせられ或いは横臥されるペットに不快感を与えるおそれがあった。また、吸水性シートにベタつきが生じることで、設置個所が汚れるおそれもあった。
【０００５】
そこで、このようなベタつきが生じる等の問題を解決するために、特許文献２のような特許出願もなされている。この特許文献２に係る発明は、多孔質材料を焼成することにより形成されるマット基材と、このマット基材の少なくとも底面部に形成される防水塗膜による防水層と、この防水層を介して前記マット基材の底面部に積層して設けられる樹脂材による防水底板材とから構成されているものである（特許文献２の請求項１）。
【０００６】
この特許文献２に係る発明は、多孔質材料が焼成されて構成されたマット基材に水が散布されることで、水分がマット基材に吸収され、その吸収された水分が気化する際の気化熱により、マット基材の表面の温度が高くならないように保たれ、それによってペットに涼感を付与するものである。多孔質材料が焼成されたものでマット基材が構成されているので、吸水性ポリマーに水分が吸収される上記特許文献１に係る発明のように、ベタつきが生じる等の問題がない。
【０００７】
しかし、特許文献２に係る発明では、マット基材としてテラコッタが用いられており、テラコッタは吸水性には優れているが、吸収した水分を多孔質の微細孔内で保持する保持力は必ずしも良好ではない。従って、特許文献２に係る発明のクーラーマットに水を散布した後に長時間にわたって水分を保持することができないために、水分が気化する際の気化熱を利用してクーラーマットの表面温度を長時間にわたって高くならないように保つことができないものとなっていた。
【０００８】
この結果、クーラーマット本体に座り或いは横臥しているペットに対して、長時間にわたって涼感を付与することができないという問題があった。そして、このような問題は、上記従来のクーラーマットを、たとえば人間等のペット以外の対象に用いた場合においても同様に生じると考えられる。
【先行技術文献】
【特許文献】
【０００９】
【特許文献１】実用新案登録第３０７００１８号公報
【特許文献２】特開２０１２−２２３１３２号公報
【発明の概要】
【発明が解決しようとする課題】
【００１０】
本発明は、このような従来の問題点に鑑みてなされたもので、ベタつき等を生じさせることがなく、しかも長時間にわたってペット等の対象に対して涼感を付与することができるようなクーラーマットを提供することを課題とする。
【課題を解決するための手段】
【００１１】
本発明は、このような課題を解決するために、ゾノトライトで構成された部分又はトバモライトで構成された部分を含むことを特徴とするクーラーマットを提供するものである。
【００１２】
本発明のクーラーマットは、ゾノトライトで構成された部分又はトバモライトで構成された部分を含むものであるので、クーラーマットに対して水を散布すると、散布された水がクーラーマットのゾノトライトで構成された部分又はトバモライトで構成された部分に浸透し、クーラーマットのゾノトライトで構成された部分又はトバモライトで構成された部分で水分が保持されることとなる。
【００１３】
この場合において、ゾノトライトで構成された部分又はトバモライトで構成された部分は、上記従来の特許文献２のクーラーマットを構成するテラコッタ等に比べて多量の水を含浸させることができるので、散布された水が上記のようにゾノトライトで構成された部分又はトバモライトで構成された部分に浸透すると、ゾノトライトで構成された部分には多量の水分が保持されることとなる。
【００１４】
そして、ゾノトライトで構成された部分又はトバモライトで構成された部分に保持されている水分は、クーラーマットの表面から徐々に蒸発する。クーラーマットの表面から水分が蒸発することにより、クーラーマットから気化熱が奪われてクーラーマットの表面温度が高くならないように保たれ、結果としてクーラーマットに座り或いは横臥しているペット等の対象に涼感が付与されることになる。
【００１５】
本発明においては、クーラーマットのゾノトライトで構成された部分又はトバモライトで構成された部分に多量の水分を保持させることができるので、クーラーマットの表面から水分が蒸発することにより気化熱が奪われてクーラーマットの表面温度が高くならないように保たれる作用が長時間にわたって持続することとなる。従って、クーラーマットに座り或いは横臥しているペット等の対象に対して、長時間にわたって涼感を与えることができる。
【００１６】
また本発明においては、ゾノトライトで構成された部分又はトバモライトで構成された部分を含むようにクーラーマットが構成されているので、特許文献１の吸水性ポリマーを利用したクーラーマットのようにベタつきが生じるおそれもない。
【発明の効果】
【００１７】
以上のように、本発明によって、ベタつき等を生じさせることがなく、しかも長時間にわたってペット等の対象に対して涼感を付与することができるようなクーラーマットを提供することが可能となる。
【図面の簡単な説明】
【００１８】
【図１】一実施形態としてのクーラーマットの平面図。
【図２】図１のＡ−Ａ線断面図。
【図３】図１のクーラーマットの使用状態を示す斜視図。
【発明を実施するための形態】
【００１９】
本実施形態のクーラーマットは、上述のように、ゾノトライトで構成された部分又はトバモライトで構成された部分を含むものである。ゾノトライトは６ＣａＯ・６ＳｉＯ2・Ｈ2Ｏの結晶構造を有し、トバモライトは５ＣａＯ・６ＳｉＯ2・５Ｈ2Ｏの結晶構造を有するものである。
ゾノトライトで構成された部分又はトバモライトで構成された部分は、散布される水分が保持され、保持された水分が蒸発することにより気化熱が奪われてクーラーマットの表面温度が高くならないように保たれるので、外部と通気状態とされる。外部と通気状態であれば、ゾノトライトで構成された部分又はトバモライトで構成された部分は、たとえば網状体、その他の通気性の素材のもので被われていてもよいが、保持された水分が蒸発することによりクーラーマットから気化熱が奪われてペット等の使用対象に涼感を好適に付与する観点からは、ゾノトライトで構成された部分又はトバモライトで構成された部分は、上記通気性の素材等で被われずに、そのまま表面に裸出していることが望ましい。
【００２０】
また、ゾノトライトで構成された部分又はトバモライトで構成された部分は、クーラーマット全体において部分的に構成されていてもよいが、より多量の水分を保持させる観点から、及びクーラーマットを製造する便宜上の観点からは、クーラーマットの全体がゾノトライト又はトバモライトで構成されるように、たとえばゾノトライト系ケイ酸カルシウム成形体又はトバモライト系ケイ酸カルシウム成形体のようなものでクーラーマットが構成されていることが望ましい。
【００２１】
ゾノトライト系ケイ酸カルシウム成形体とは、ゾノトライト（６ＣａＯ・６ＳｉＯ2・Ｈ2Ｏ）以外の微量の結晶構造を含むことを排除するものではないが、たとえばＸ線回折法によりＸ線回折のチャートにゾノトライト（６ＣａＯ・６ＳｉＯ2・Ｈ2Ｏ）結晶と特定できるピ−クを含んで主たる結晶構造がゾノトライト（６ＣａＯ・６ＳｉＯ2・Ｈ2Ｏ）であるようなケイ酸カルシウム成形体である。またトバモライト系ケイ酸カルシウム成形体とは、トバモライト（５ＣａＯ・６ＳｉＯ2・５Ｈ2Ｏ）以外の微量の結晶構造を含むことを排除するものではないが、たとえばＸ線回折法によりＸ線回折のチャートにトバモライト（５ＣａＯ・６ＳｉＯ2・５Ｈ2Ｏ）結晶と特定できるピ−クを含んで主たる結晶構造がトバモライト（５ＣａＯ・６ＳｉＯ2・５Ｈ2Ｏ）であるようなケイ酸カルシウム成形体である。
【００２２】
本発明のクーラーマットとして使用する場合の取り扱いの便宜からは、ゾノトライト系ケイ酸カルシウム成形体又はトバモライト系ケイ酸カルシウム成形体は板状に形成されることが望ましい。すなわち、ケイ酸カルシウム板として成形されるものであることが望ましい。
【００２３】
ケイ酸カルシウム板としては、たとえばケイ酸質材料、石灰質材料と補強繊維を原料として、オートクレーブで高温高圧蒸気養生を行った板が用いられる。オートクレーブ処理された板は、強く安定した結晶構造を持ち、結晶構造を持たない他の板に比べて経年変化、温湿度による変質変形が少ない、安定した品質の不燃材である。
【００２４】
石灰質材料としてはセメント系材料が通常用いられる。ＣａＯや水酸化カルシウムも利用できるが、成形後脱枠してオートクレーブ養生を行う場合には、自硬性の材料である、普通、早強、超早強、耐硫酸塩、中庸熱、低熱のポルトランドセメント、白色セメント、エコセメント等を好適に使用することができる。また、混合セメントである高炉セメント、フライアッシュセメントやシリカセメント等も好適に使用できる。
【００２５】
一方、ケイ酸質材料としては、α−石英を主成分とするケイ石微粉末や産業副産物であるシリカフューム、籾殻灰、フライアッシュ等を使用することができる。石灰質材料とケイ酸質材料の混合比率は、特に限定されるものではないが、一般にはケイ酸質材料のＳｉＯ2成分に対する石灰質材料のＣａＯ成分のモル比（ＣａＯ／ＳｉＯ2）が０．５〜１．５程度とされ、ゾノトライト系ケイ酸カルシウム板の場合には、ＣａＯ／ＳｉＯ2モル比が０．８〜１．３が好ましく、０．９〜１．１がより好ましく、１．０程度がさらに好ましい。またトバモライト系ケイ酸カルシウム板の場合には、ＣａＯ／ＳｉＯ2モル比が０．７〜０．９が好ましく、０．８程度がより好ましい。
【００２６】
上記のオートクレーブ処理温度は、一般に１１０℃以上である。具体的には、トバモライト系ケイ酸カルシウム板では１７０〜１９０℃程度であり、１８０℃程度がより好ましい。ゾノトライト系ケイ酸カルシウム板では１９０〜２２０程度であり、２００℃程度がより好ましい。またオートクレーブ処理時にはオートクレーブ処理温度の飽和水蒸気圧下で水熱合成反応が行われ、反応時間は１〜８時間程度とされる。
【００２７】
ケイ酸カルシウム板の成形に際しては、型枠に原料スラリーを流し込んで成形し、若しくは加圧脱水成形し、或いは抄造成形した後、飽和水蒸気圧下でオートクレーブ養生してケイ酸カルシウム水和物とする方法、又は予めケイ酸カルシウム水和物を撹拌式オートクレーブなどで合成した後、加圧脱水してケイ酸カルシウム水和物とする方法等がある。後者の方法では、成形の際には、耐アルカリ性ガラス繊維などを繊維補強材として加えることもできる。
【００２８】
この場合の繊維補強材としては、有機系及び無機系のいずれの繊維をも使用できる。有機系繊維補強材としては、セルロース繊維、ポリプロピレン繊維、アラミド繊維等を使用することができ、無機系繊維補強材としては、ガラス繊維、炭素繊維、炭化ケイ素繊維、ステンレス繊維、アルミニウム繊維等を使用することができる。
【００２９】
また、ケイ酸カルシウム板の表面には、ケイ酸のアルカリ金属塩を含有する溶液を塗布することも可能である。ケイ酸カルシウム板に水が浸透することで、ケイ酸カルシウム板の表面にカルシウム分が表出するおそれがあるが、ケイ酸のアルカリ金属塩を含有する溶液を塗布することで、そのカルシウム分がケイ酸のアルカリ金属塩と反応して安定した状態となり、そのようなカルシウム分の表出を防止することができる。またケイ酸カルシウム板の表面が緻密な状態となる。この結果、ケイ酸カルシウム板の表面、ひいてはクーラーマットの表面に汚れが発生しにくい状態となる。ケイ酸のアルカリ金属塩としては、主としてケイ酸カリウムが用いられる。ただし、ケイ酸リチウムやケイ酸ナトリウムを用いることも可能である。
【００３０】
上記ケイ酸のアルカリ金属塩は、上記のように水溶液の状態で用いられる。水溶液とする場合の濃度は特に限定されるものではないが、たとえばケイ酸カリウムの場合、ケイ酸カリウム水溶液の濃度は４〜４５重量％であることが好ましく、６〜３５重量％であることがより好ましく、７〜２０重量％であることがさらに好ましい。またＰＨは９〜１１程度であることが好ましい。
【００３１】
尚、クーラーマットとして使用する場合の取り扱いの便宜から、上記のようにゾノトライト又はトバモライトの成形体は板状に形成されることが望ましいが、板状以外の形態に成形されていてもよい。板状以外の形態であっても、上記のようにケイ酸質材料、石灰質材料と補強繊維を原料として上記のような方法で成形される。
【００３２】
以下、本発明のより具体的な実施形態について説明する。本実施形態のペット用のクーラーマット１は、図１に示すように平面長方形状の板状のものであり、図２に示すように一定の厚みを有して全体が直方体状に形成されている。また本実施形態のペット用のクーラーマット１は、ゾノライト系ケイ酸カルシウム板で構成されている。
【００３３】
このような構成からなるペット用のクーラーマット１は、そのクーラーマット１に水を散布し、たとえば室内の床面等に設置して使用される。散布された水は、クーラーマット１の表面から該クーラーマット１内に浸透し、クーラーマット１内で水分が保持されることとなる。
【００３４】
この場合において、ゾノトライト系ケイ酸カルシウム板は自重の３〜４倍程度の水を保持させることができる（ケイ酸カルシウム板１ｃｍ3あたり０．７〜０．８ｇの水を保持させることができる：すなわち保水量が０．７〜０．８ｇ／ｃｍ3程度）ので、水を散布することで上記のようにクーラーマット１内に水が浸透すると、そのクーラーマット１の自重の３〜４倍程度の水分がクーラーマット１内に保持されることとなる。
【００３５】
そして、水の散布を終えた後、クーラーマット１の上面に、図３に示すように犬などのペット２を座らせ或いは横臥させて使用される。この場合、ケイ酸カルシウム板で構成されたクーラーマット１の表面から該クーラーマット１に保持されている水分が徐々に蒸発し、そのように水分が蒸発することにより、クーラーマット１から気化熱が奪われてクーラーマット１の表面温度が高くならないように保たれ、それによってクーラーマット１の上面に座らせ或いは横臥させるペット２に対して涼感が付与されることとなる。
【００３６】
本実施形態においては、多量の水分をケイ酸カルシウム板で構成されたクーラーマット１に保持させることができるので、クーラーマット１の表面から水分が蒸発することにより気化熱が奪われてクーラーマット１の表面温度が高くならないように保たれ、それによってペット２に対して涼感を付与する作用が、長時間にわたって持続することとなる。
【００３７】
尚、上記実施形態では、ゾノライト系ケイ酸カルシウム板でクーラーマット１が構成されているが、これに限らず、トバモライト系ケイ酸カルシウム板でクーラーマット１が構成されていてもよい。トバモライト系ケイ酸カルシウム板は自重の２〜３倍程度の水を保持させることができ（ケイ酸カルシウム板１ｃｍ3あたり０．６〜０．７ｇの水を保持させることができ：すなわち保水量が０．６〜０．７ｇ／ｃｍ3程度）、この場合にもクーラーマット１の表面から水分が蒸発することにより気化熱が奪われてクーラーマット１の表面温度が高くならないように保たれ、それによってペット２に対して涼感を付与する作用が、長時間にわたって持続することとなる。
【００３８】
また上記実施形態では、クーラーマット１が平面長方形状に形成されていたが、クーラーマット１の形状はこれに限定されるものではなく、たとえば平面円形状、楕円形状、三角形状等に形成されていてもよく、その形状は限定されるものではない。
【００３９】
さらに、本発明のクーラーマットは、ペット用として使用することを主眼とするものであるが、ペット用以外の対象、たとえば人間を対象として使用することも可能である。
【００４０】
（試験例１）
市販のゾノトライト系ケイ酸カルシウム板（商品名耐火ライトウッド：日本インシュレーション株式会社製）の３００ｍｍ×３００ｍｍ×２５ｍｍの大きさのものを、容器内に収容された水に約３時間浸漬して放置した。水に浸漬する前のケイ酸カルシウム板の重量は４５０．１ｇであり、水に浸漬した後のケイ酸カルシウム板の重量は２１２８．６ｇであった。結果として、ケイ酸カルシウム板は自重の３．７３倍の水を保持（保水）したことがわかった。
【００４１】
（試験例２）
トバモライト系ケイ酸カルシウム板（神島化学工業株式会社製：１００ｍｍ×１００ｍｍ×６ｍｍ）を、容器内に収容された水に約３時間浸漬して放置した。水に浸漬する前と浸漬した後のケイ酸カルシウム板の重量を測定し、結果として、ケイ酸カルシウム板は自重の２．０倍の水を保持（保水）したことがわかった。
【００４２】
（総括）
以上の試験結果から、試験例１のゾノトライト系ケイ酸カルシウム板、或いは試験例２のトバモライト系ケイ酸カルシウム板でクーラーマットを構成し、これをペット用クーラーマットとして使用した場合に、多量の水分をクーラーマットに保持させることができるので、上記のような水分の蒸発に伴う気化熱の作用を長時間にわたって持続させることができ、長時間にわたってペットに対して涼感を付与できることがわかった。
【符号の説明】
【００４３】
１  クーラーマット
２  ペット  
【図１】
2015136332.tif 000003
【図２】
2015136332.tif 000004
【図３】
2015136332.tif 000005